(57)【要約】      （修正有）【課題】従来の足指折り曲げ装置と比較して、足指をより効果的に刺激することができる足指折り曲げ装置を提供する。【解決手段】本考案の足指折り曲げ装置は、ベース１上にて正逆方向に回動自在に支持された回動体２と、回動体２の回転軸回りで前記回動体２と共に回動自在に設けられた足指固定手段３とを備えている。足指固定手段３は、回動体２に対して接近離間自在に設けられており、使用者の５本の足指を前記５本の足指の上側から前記回動体２に押圧するローラアセンブリ４を備えている。ローラアセンブリ４は、並設された複数の押さえローラ４１，４１を備えており、複数の押さえローラ４１，４１の各々は、回動体２の回転軸に平行な回転軸Ｒ回りで、回転自在に設けられている。【選択図】図５
0003215003.tif 000002
【実用新案登録請求の範囲】
【請求項１】
ベース上にて正逆方向に回動自在に支持された回動体と、
前記回動体の回転軸回りで前記回動体と共に回動自在に設けられた足指固定手段と、
を備えており、
前記足指固定手段は、前記回動体に対して接近離間自在に設けられており、使用者の５本の足指を前記５本の足指の上側から前記回動体に押圧するローラアセンブリを備えており、
前記ローラアセンブリは、並設された複数の押さえローラを備えており、
前記複数の押さえローラの各々は、前記回動体の回転軸に平行な回転軸回りで、回転自在に設けられている、足指折り曲げ装置。
【請求項２】
前記ローラアセンブリは、前記回動体の回転軸に平行な回転軸回りで、回動自在に設けられている、請求項１に記載の足指折り曲げ装置。
【請求項３】
前記複数の押さえローラの各々は、ローラ本体と、前記ローラ本体の外周面を覆うクッション層とを備える、請求項１又は請求項２に記載の足指折り曲げ装置。
【請求項４】
前記足指固定手段は、前記回動体に対して固定された支持フレームを備えており、
前記ローラアセンブリは、前記支持フレームに移動自在に装着されており、
前記支持フレームには、前記ローラアセンブリを案内するガイド機構と、前記回動体に対する前記ローラアセンブリの位置を調節する位置調節手段とが設けられている、請求項１乃至３の何れかに記載の足指折り曲げ装置。
【請求項５】
前記使用者の足を載せる足載せ台を更に備えており、
前記足載せ台の一端は、前記ベース上に枢支されており、前記足載せ台の他端は、前記回動体側に向けられており、
前記足載せ台の他端は、前記回動体が前記５本の足指を引っ張る向きに回転すると上昇し、前記回動体が前記５本の足指を反り返す向きに回転すると下降するように構成されている、請求項１乃至４の何れかに記載の足指折り曲げ装置。
【請求項６】
前記足載せ台は、リンク機構を介して前記回動体及び前記足指固定手段と連結されている、請求項１乃至５の何れかに記載の足指折り曲げ装置。
【考案の詳細な説明】
【技術分野】
【０００１】
本考案は、足裏側に曲げる力と、足の甲側に反り返す力とを加えることで、足指を運動させる足指折り曲げ装置に関する。
【背景技術】
【０００２】
使用者の足指に、足裏側に曲げる力と、足の甲側に反り上げる力とを交互に繰り返し加えることで、使用者の足指を運動させる足指折り曲げ装置としては、特開２００６−１５８５６２号に開示されている装置が知られている（特許文献１）。
【０００３】
特開２００６−１５８６５２号に開示されている装置は、平板状ベースの上面に、当該上面と平行な回転軸回りで回動自在に設けられた回動体（ローラ）と、当該回動体と共に回動する足指固定手段とを備えている。使用者の足指は、足指固定手段の押え部材と、回動体との間で挟持されて、回動体が正逆回転する毎に、足指の足裏側への曲げと、足の甲側への反り返しが交互に行われる。更に、これらの動作に伴って、足指の引っ張りと圧縮とがなされることで、特開２００６−１５８５６２号の装置では、使用者の足指の運動がなされる。
【先行技術文献】
【特許文献】
【０００４】
【特許文献１】特開２００６−１５８５６２号
【考案の概要】
【考案が解決しようとする課題】
【０００５】
足指折り曲げ装置において、使い勝手をより良くし、また、足指をより効果的に刺激することは、恒常的な課題である。本考案は、この課題を解決するものであって、特開２００６−１５８５６２号に開示されているような従来の装置と比較して、使い勝手がよく、使用者の足指をより効果的に刺激する足指折り曲げ装置を提供するものである。
【課題を解決するための手段】
【０００６】
本考案の足指折り曲げ装置は、ベース上にて正逆方向に回動自在に支持された回動体と、前記回動体の回転軸回りで前記回動体と共に回動自在に設けられた足指固定手段と、を備えており、前記足指固定手段は、前記回動体に対して接近離間自在に設けられており、使用者の５本の足指を前記５本の足指の上側から前記回動体に押圧するローラアセンブリを備えており、前記ローラアセンブリは、並設された複数の押さえローラを備えており、前記複数の押さえローラの各々は、前記回動体の回転軸に平行な回転軸回りで、回転自在に設けられている。
【０００７】
本考案の足指折り曲げ装置では、前記ローラアセンブリは、前記回動体の回転軸に平行な回転軸回りで、回動自在に設けられてよい。
【０００８】
本考案の足指折り曲げ装置では、前記複数の押さえローラの各々は、前記ローラ本体と、ローラ本体の外周面を覆うクッション層とを備えてよい。
【０００９】
本考案の足指折り曲げ装置では、前記足指固定手段は、前記回動体に対して固定された支持フレームを備えており、前記ローラアセンブリは、前記支持フレームに移動自在に装着されており、前記支持フレームには、前記ローラアセンブリを案内するガイド機構と、前記回動体に対する前記ローラアセンブリの位置を調節する位置調節手段とが設けられてよい。
【００１０】
本考案の足指折り曲げ装置では、前記使用者の足を載せる足載せ台を更に備えており、前記足載せ台の一端は、前記ベース上に枢支されており、前記足載せ台の他端は、前記回動体側に向けられており、前記足載せ台の他端は、前記回動体が前記５本の足指を引っ張る向きに回転すると上昇し、前記回動体が前記５本の足指を反り返す向きに回転すると下降するように構成されてよい。
【００１１】
本考案の足指折り曲げ装置では、前記足載せ台は、リンク機構を介して前記回動体及び前記足指固定手段と連結されてよい。
【考案の効果】
【００１２】
本考案の足指折り曲げ装置では、複数の押さえローラを備えるローラアセンブリを用いて、使用者の足の足指が回動体に対して固定される。使用者が足指を回動体上に配置する場合、回動体とローラアセンブリの間に足指を挿入する必要があるが、この際に、足指がローラアセンブリの押さえローラに当たると、当該押さえローラが回転することで、使用者の足指はスムーズに挿入される。
【００１３】
本考案の足指折り曲げ装置では、回動体が正逆方向に回動すると、使用者の足の皮膚のたるみやずれ等に起因して、各押さえローラも、その回転軸回りで微少に回動する。このような押さえローラの回動によって、従来の足指折り曲げ装置では得られない心地よい刺激が使用者に与えられる。
【００１４】
本考案の足指折り曲げ装置では、並設された複数の押さえローラで足指が押圧されることから、これらの足指は、足指の長さ方向に離間した複数の領域で回動体に押圧又は拘束される。このように拘束された状態で回動体が回動することで、足指の足裏側への曲げと、足の甲側への反り返しによって足指に与えられる刺激が、従来の装置と比較してより高められる。
【図面の簡単な説明】
【００１５】
【図１】図１は、本考案の一実施形態である足指折り曲げ装置の平面図である。
【図２】図２は、本考案の一実施形態である足指折り曲げ装置の正面図である。
【図３】図３は、足指固定手段を省略して図示する、足指折り曲げ装置の分解斜視図である。
【図４】図４は、本考案の一実施形態である足指折り曲げ装置の平面図であって、図１に示す状態から、足指折り曲げ装置に係る足裏載せ部材の角度が変わった模様を示している。
【図５】図５は、図２に示すＡ−Ａ線で破断して矢視した、本考案の一実施形態である足指折り曲げ装置の部分断面図である。
【図６】図６は、図２に示すＢ−Ｂ線で破断して矢視した、本考案の一実施形態である足指折り曲げ装置の部分断面図である。
【図７】図７は、回動体がニュートラル位置にある足指折り曲げ装置の側面図であり、足指固定手段は部分的に破断されて示されている。
【図８】図８は、回動体が足指引っ張り状態にある足指折り曲げ装置の側面図であり、足指固定手段は部分的に破断されて示されている。
【図９】図９は、回動体が足指反り返し状態にある足指折り曲げ装置の側面図であり、足指固定手段は部分的に破断されて示されている。
【考案を実施するための形態】
【００１６】
以下、本考案の足指折り曲げ装置を図を参照して説明する。図１及び図２は夫々、本考案の一実施形態である足指折り曲げ装置の平面図及び正面図である。この実施形態の足指折り曲げ装置は、略矩形の板状のベース１と、ベース１の一端側にて、ベース１の上面と平行な回転軸Ｐ回りで回動自在に設けられた回動体２と、使用者の一方の足（図１では、二点鎖線で示されている。図４等でも同様）の足指を回動体２上に固定する足指固定手段３と、ベース１の上面に設けられた足載せ台５とを備えている。
【００１７】
本実施形態では、回動体２はローラ装置であって、より具体的には、円柱状のローラ本体２１を正逆回転させる回動駆動機構２２を内蔵した所謂モーターローラである。ベース１の一端側には、ベース１の幅方向に離間した一対の支持部材１１，１１がベース１の上面に突設されており、ローラ本体２１の両端から夫々突出した一対の軸部２３，２３の各々は、対応する支持部材１１，１１に固定される。これら軸部２３，２３は、回転軸Ｐを規定するように配置されている。回動体２のローラ本体２１の外周面は、発泡ウレタン樹脂材等で形成されたクッション層２４で覆われている。
【００１８】
足載せ台５は、回動体２の回動に連動して回動体２側の自由端部が揺動する揺動部材５１と、揺動部材５１上に回動可能に配備された回動部材５２と、回動部材５２上にて回動体２に接近離間する足裏載せ部材５３と組み合わせることで構成されている。
【００１９】
図３は、揺動部材５１、回動部材５２及び足裏載せ部材５３等を分解して示す足指折り曲げ装置の分解斜視図である（図３では、足指固定手段３の図示は省略されている）。揺動部材５１は板状の部材であって、ベース１上にて回動体２とは反対側の位置にて、ベース１の上面と平行に設けられた支軸体５４回りで上下方向に揺動可能に構成されている。回動体２の両端には、足指固定手段３を構成するコ字状の支持フレーム３１の一対の基部が固定されている。支持フレーム３１のこれらの基部は、回動体２の両端を覆うように円状に形成されており、揺動部材５１における回動体２側の両端は、２つのリンク部材５５，５５で構成されたリンク機構を介して、支持フレーム３１の基部と枢支連結されている。
【００２０】
揺動部材５１の上面には、案内凹部５６が形成されている。回動部材５２は板状の部材であって、揺動部材５１に設けられた枢軸体５７を中心に回動可能に、案内凹部５６に嵌められている。枢軸体５７は、揺動部材５１の回動体２側の端部に近接して、揺動部材５１の幅中心に位置しており、回動体２の軸部２３，２３と直交する方向に向いている。回動部材５２は、揺動部材５１の板面と平行な面内で回動可能である。回動部材５２と揺動部材５１の案内凹部５６とには、スライド可能に互いに嵌合する円弧壁面５８，５９が夫々形成されている。
【００２１】
回動部材５２の上面には、ガイド条６０が設けられており、足裏載せ部材５３がガイド条６０に沿ってスライド可能に設けられている。ガイド条６０は、回動部材５２の円弧壁面５８の中央から回動中心である枢軸体５７側に延びている。足裏載せ部材５３は、使用者の足の踵を載せることができる大きさに形成されており、踵の外周部を包囲する円弧壁６１が形成されている。
【００２２】
図４は、足指折り曲げ装置の平面図であって、図１に示す状態から、足指折り曲げ装置に係る足裏載せ部材５３の角度が変わった模様を示している。使用者は、運動させる足の大きさや形状に合わせて、更には自分が心地よく感じるように足が足指折り曲げ装置に配置されるように、回動部材５２を回転させて、足裏載せ部材５３の角度を調節することができる。
【００２３】
図５は、図２に示すＡ−Ａ線で破断して矢視した足指折り曲げ装置の部分断面図である。図６は、図２に示すＢ−Ｂ線で破断して矢視した足指折り曲げ装置の部分断面図である。足指固定手段３は、支持フレーム３１の基部から互いに平行に延出する支持フレーム３１の一対の柱部に沿って昇降自在に設けられたローラアセンブリ４を備えている。ローラアセンブリ４は、回動体２に対して接近離間自在に構成されており、使用者の５本の足指をこれら足指の上側から回動体２に押圧するために使用される。
【００２４】
ローラアセンブリ４は、並設された複数の押さえローラ４１，４１を備えている。複数の押さえローラ４１，４１の各々は、回動体２の回転軸Ｐに平行な回転軸Ｑ回りで、回転自在に設けられている。押さえローラ４１，４１の各々は、円筒状のローラ本体４２と、ローラ本体４２の中心を通っており、回転軸Ｑを規定するローラ軸体４３とを備えており、ローラ本体４２の外周面は、発泡ウレタン樹脂材等で形成されたクッション層４４で覆われている（図６参照）。
【００２５】
本実施形態では、押さえローラ４１の数は２つであるが、本考案において、ローラアセンブリ４に設けられる押さえローラ４１の数は、２つに限定されず、３つ以上の押さえローラ４がローラアセンブリ４に設けられてよい。
【００２６】
支持フレーム３１の対向する一対の柱部を繋ぐその頂部の上方には、使用者が、ローラアセンブリ４を昇降させてその位置を調節するのに使用する円筒状の把手３２が設けられている。把手３２からは、ねじ山（図示せず）が形成された軸部３３が支持フレーム３１の頂部へと延びている。軸部３３は、支持フレーム３１を貫通しており、軸部３３の下端は、コ字状の昇降フレーム３４の頂部に枢着されている。把手３２、軸部３３及び昇降フレーム３４等は、本考案の位置調節手段を構成している。
【００２７】
ローラアセンブリ４は、ローラ４１，４１の両端に設けられた一対の矩形の支持プレート４５，４５を備えている。各押さえローラ４１，４１のローラ軸体４３の端部は、対応する支持プレート４５，４５に枢支されている。ローラアセンブリ４には、押さえローラ４１，４１の間にて、ローラ軸体４３に平行な軸部材４６が設けられている。軸部材４６の両端部は、支持プレート４５，４５及び昇降フレーム３４を貫通して、昇降フレーム３４の両側壁部から外向きに突出している。軸部材４６は、回転軸２の回転軸Ｐと押さえローラ４１の回転軸Ｑとに平行な回転軸Ｒを規定しており、ローラアセンブリ４（つまり、押さえローラ４１，４１及び支持プレート４５，４５）は、回転軸Ｒ回りで回転可能である。
【００２８】
支持フレーム３１の各柱部の内側には、当該柱部に沿ってガイド部材３５，３５が固定されている。各ガイド部材３５は、長手方向に溝が形成された角材であって、本考案に係るガイド機構を構成している。軸部材４６の各端部は、対応するガイド部材３５，３５の溝に挿入される。軸部３３は、支持フレーム３１の頂部と螺合しており、使用者が把手３２を回転させるとその回転方向に応じて、軸部材４６が上下する。それに伴い、昇降フレーム３４、ひいては、一対の押さえローラ４１，４１がガイド部材３５，３５に沿って上下する。
【００２９】
以下、本実施形態の足指折り曲げ装置の使用方法と動作について説明する。
【００３０】
図７は、回動体２がニュートラル位置にある状態を示している（説明の都合上、図７では、足指固定手段３は、部分的に破断されている。図８及び図９も同様）。回動体２のニュートラル位置とは、回動体２上の回動スタート位置であり、足指固定手段３の支持フレーム３１は、例えば、その柱部が鉛直方向になっている状態で、又は、足載せ台５側に僅かに傾いた状態で静止している。揺動部材５１の前端はリンク部材５５，５５に引っ張られて上昇端の１／２程度の高さまで上昇している。回動駆動機構２２は、運転スイッチ(図示せず)をＯＦＦにすると回動体２がニュートラル位置で停止する様に回路設定が成されている。
【００３１】
使用者は、回動体２がニュートラル位置にある状態で把手３２を操作して、足指固定手段３のローラアセンブリ４の高さを，ローラアセンブリ４と回動体２の間に足指を挿入可能な程度に調整する。その後、使用者は、左右の一方の足の踵を足載せ台５の足裏載せ部材５３に載せると共に、その足先を回動体２とローラアセンブリ４の間に挿入する。使用者の足指が、ローラアセンブリ４の押さえローラ４１，４１に当たると、押さえローラ４１，４１が回転することで、使用者の足指は、回動体２とローラアセンブリ４の間にスムーズに入れられる。なお、ローラアセンブリ４と回動体２の間に足指を挿入する前後において、図４に示すように、足指折り曲げ装置に係る足裏載せ部材５３の角度が調節されてよい。
【００３２】
その後、使用者が把手３２を操作して、足指固定手段３の押さえローラ４１，４１を下降させることで、回動体２と押さえローラ４１，４１とによって、足指を含む使用者の足先が挟持される。回動体２のクッション層２４と、押さえローラ４１，４１のクッション層４４とは、使用者の足指の凹凸等に合うように変形するので、使用者の足指の各々は、過不足なく挟圧保持される。本実施形態の足指折り曲げ装置では、ローラアセンブリ４が回転軸Ｒ回りに回転可能に構成されているので、使用者の足指の形状に合うようにローラアセンブリ４が回転して、両方の押さえローラ４１，４１が共に足指に当接して、ほぼ均等に使用者の足指を押しつける。
【００３３】
回動体２の回動駆動機構２２は、リモートコントロール式の制御部(図示せず)からの指令によって、回動体２のニュートラル位置の設定、ニュートラル位置から（図７において）時計方向の回転角度(正方向回転の回転角度)の設定、ニュートラル位置から反時計方向角度(逆方向回転の回転角度)の設定、回動体２の往復回転周期の設定等が可能となっている。例えば、回動体２の回転角度はニュートラル位置から、正逆方向に夫々３０°乃至４５°程度に制限される。
【００３４】
使用者によって、運転スイッチがＯＮにされると回動駆動機構２２が動作することで、回動体２は、所定の角度範囲で正逆方向に回転軸Ｐを回転中心として回動することを繰り返す。回動体２と一緒に、足指固定手段３も回転軸Ｐを回転中心として回動する。図６に示すニュートラル位置から、図７において時計方向、つまり正方向に回動体２及び足指固定手段３が回転すると、図８に示すように、使用者の足指は、引っ張られると共に、回動体２の円弧面に沿う様に下向き、即ち、足裏側に曲げられる。回動体２の正方向の回転に伴いリンク部材５５，５５が作用することで、揺動部材５１の前端側が上昇するように、揺動部材５１は、支軸体５４回りで上向きに回転する。足裏載せ部材５３は、ガイド条６０に沿って前方に、つまり、回動体２に向かって移動する。
【００３５】
図７に示すニュートラル位置から図８に示す足指引っ張り位置（回動体２が正方向に限界角度まで回転した状態）に、回動体２及び足指固定手段３が回転する間、使用者の足指の皮膚のたるみやずれ等に起因して押さえローラ４１，４１が回転軸Ｑ回りに微少に回転する。本実施形態の足指折り曲げ装置では、このようなローラ４１，４１の回転によって、従来の足指折り曲げ装置では得られない心地よい刺激が使用者に与えられる。足指の皮膚のたるみやずれ以外に、押さえローラ４１のクッション層４４の変形や、（ローラアセンブリ４を含む）足指固定手段３を構成する部材間におけるあそびの存在も、押さえローラ４１，４１の回転に起因するであろう。
【００３６】
また、並設された押さえローラ４１，４１で足指が押圧されることから、これらの足指は足指の長さ方向に離間した複数の領域で回動体に拘束される。このように拘束された状態で回動体２が回動することで、足指の足裏側への曲げによって足指に与えられる刺激が、従来の足指折り曲げ装置と比較してより高められる。
【００３７】
図８に示す位置から、図８において反時計方向、つまり逆方向に回動体２及び足指固定手段３が回転すると、回動体２及び足指固定手段３は、図７に示すニュートラル位置を通過して、図９に示す足指反り返し位置（回動体２が逆方向に限界角度まで回転した状態）に至る。この位置では、揺動部材５１はベース１の上面と略平行状態となり、揺動部材５１の前端は、下降端にある。足指反り返し状態では、使用者の足指に足の甲側に反り返す力が加わる。足裏全体は回動体２から離れる方向に押される力と下向きの力が作用するが、足裏載せ部材５３が押される方向に後退し、且つ支軸体５４を中心に下向きに揺動するため、使用者の足に無理は掛からない。
【００３８】
図８に示す足指引っ張り位置から図９に足指反り返し位置に、回動体２及び足指固定手段３が回転する間、使用者の足指の皮膚のたるみやずれ等に起因して押さえローラ４１，４１が微少に回転軸Ｑ回りで回転することで、従来の足指折り曲げ装置では得られない心地よい刺激が使用者に与えられる（ローラ４１，４１は、回動体２等がニュートラル位置から足指引っ張り位置に向かう間に回転する回転方向とは逆向きに回転する）。また、並設された複数の押さえローラ４１，４１で足指が拘束された状態で回動体２が回動することで、足指反り返しによって足指に与えられる刺激が、従来の足指折り曲げ装置と比較してより高められる。
【００３９】
回動体２及び足指固定手段３は、図９に足指反り返し位置に至った後反転して、図８に示す足指引っ張り位置へと回転する。使用者によって運転スイッチがＯＦＦにされるまで、回動体２及び足指固定手段３は、足指引っ張り位置と足指反り返し位置との間で回動する。
【００４０】
上記実施形態の足指折り曲げ装置では、例えば、回動体２に振動モータ等の振動装置(図示せず)を連繋して回動体２を振動させつつ正逆回転させることで、足指に前記した効果に加えて振動による刺激を与えることができる。振動モータは、例えば、回動体２内に取り付けられてよい。
【００４１】
上記のように、足裏載せ部材５３が、足裏に作用する力によって回動体２に対して自由に接近離間すると、回動体２の正逆回転による足指に対する引っ張りと圧縮の効果が弱められ、刺激が弱いと感じる使用者には、足裏載せ部材５３をガイド条６０の最適位置で固定する手段を設けることにより、足指に好みの強さの、引っ張り力、圧縮力、足裏側への曲げ力、甲側への反り返し力を得ることができる。足裏載せ部材５３の固定手段として、例えば、図１、図３及び図４等に示す様に、足裏載せ部材５３のガイド条６０の側面を押圧可能なクランプボルト６２を螺合することが挙げられる。このクランプボルト６２を締め付けることにより、足裏載せ部材５３をガイド条６０上の最適位置に固定できる。
【００４２】
本実施形態では、回動体２としてローラ装置、より具体的にはモーターローラが使用されているが、本考案の回動体２は、これに限定されることはなく、使用者の足指を足指固定手段３と共に適切に固定可能であれば、回動体２の形状や構成は問わない。例えば、回動体２は、円周面を上に向けた半円柱状の部材で構成されてよく、当該部材は、足指固定手段３と連結された状態で、適当な駆動手段によって回動駆動されてよい。
【００４３】
上記実施形態では、足載せ台５は、リンク部材５５，５５を用いたリンク機構を介して回動体２及び足指固定手段３と連結されているが、上記の動作が実現可能であれば、本考案において使用されるリンク機構として、任意のリンク機構が使用されてよい。
【００４４】
本考案において、ローラアセンブリ４を案内するガイド機構と、ローラアセンブリ４の位置を調節する位置調節手段は、上記実施形態の構成に限定されない。例えば、ガイド機構は、支持フレーム３１の各柱部に設けられたＬＭガイドレールと、当該ＬＭガイドレールに沿って走行可能なスライダー（例えば、昇降フレーム３４に取り付けられる）とを含んでよい。また、位置調節手段は、例えば、電動式又は空気式のアクチュエータを用いて構成されてもよい。
【００４５】
上記実施例の説明は、本考案を説明するためのものであって、実用新案登録請求の範囲に記載の考案を限定し、或いは範囲を減縮する様に解すべきではない。また、本考案の各部構成は上記実施例に限らず、実用新案登録請求の範囲に記載の技術的範囲内で種々の変形が可能であることは勿論である。
【符号の説明】
【００４６】
１      ベース
２      回動体
３      足指固定手段
３１    支持フレーム
３２    把手
３５    ガイド部材
４      ローラアセンブリ
４１    押さえローラ
４２    ローラ本体
４４    クッション層
５５    リンク部材
【図１】
0003215003.tif 000003
【図２】
0003215003.tif 000004
【図３】
0003215003.tif 000005
【図４】
0003215003.tif 000006
【図５】
0003215003.tif 000007
【図６】
0003215003.tif 000008
【図７】
0003215003.tif 000009
【図８】
0003215003.tif 000010
【図９】
0003215003.tif 000011
【手続補正書】
【提出日】平成29年12月15日(2017.12.15)
【手続補正１】
【補正対象書類名】実用新案登録請求の範囲
【補正対象項目名】請求項６
【補正方法】変更
【補正の内容】
【請求項６】
前記足載せ台は、リンク機構を介して前記回動体及び前記足指固定手段と連結されている、請求項５に記載の足指折り曲げ装置。